(57)【要約】【課題】無線アクセスポイントと無線端末装置との通信が切断した場合、無線端末装置を自動的にかつ容易に無線アクセスポイントに再接続可能とする。【解決手段】電波が不安定な状態となり時刻Ｔ１で無線ＡＰ２０と無線端末装置１０との通信が切断された（第１のスイッチＳＷ１がＯＦＦになった）場合、ＯＳ１１は、所定の待機時間が経過した時刻Ｔ２以降、第２のスイッチＳＷ２を繰り返しオンオフするリフレッシュ動作の制御を行う。時刻Ｔ１０で第２のスイッチＳＷ２がＯＮになった後、ＯＦＦとなるタイミングの前である時刻Ｔ１１で第１のスイッチＳＷ１がＯＮする（ＳＳＩＤを選択する）ことにより、第２のスイッチＳＷ２のリフレッシュ動作を終了する。【選択図】図２
2014216840.tif 000002
【特許請求の範囲】
【請求項１】
任意の無線アクセスポイントから送信される前記無線アクセスポイントを識別する識別子情報を選択する識別子選択部と、
前記無線アクセスポイントに対する無線接続動作を行う無線接続動作部と、
前記識別子選択部が前記識別子情報を選択しない状態になったとき、前記識別子選択部が前記識別子情報を選択する状態に復帰するまで、前記無線接続動作部の無線接続動作のオンオフ制御を繰り返し行う制御部と
を備えることを特徴とする無線端末装置。
【請求項２】
前記制御部は、
前記識別子選択部が前記識別子情報を選択しない状態になってから、所定の待機時間経過後、前記無線接続動作部の無線接続動作のオンオフ制御を開始させる
ことを特徴とする請求項１に記載の無線端末装置。
【請求項３】
前記制御部は、
前記無線アクセスポイントと前記無線端末装置との間の無線環境に応じて、前記所定の待機時間の長さを調整する
ことを特徴とする請求項２に記載の無線端末装置。
【請求項４】
前記制御部は、
前記無線アクセスポイントと前記無線端末装置との間の無線環境に応じて、前記無線接続動作部の無線接続動作のオンオフ制御におけるオンオフのサイクルタイム、オン時間、およびオフ時間のうちの少なくとも１つを調整する
ことを特徴とする請求項１乃至３のいずれか1つに記載の無線端末装置。
【請求項５】
請求項１から４のいずれか１項に記載の少なくとも一つの無線端末装置と、
前記無線端末装置に前記識別子情報を送信する少なくとも一つの無線アクセスポイントと
を備えることを特徴とする無線通信システム。
【発明の詳細な説明】
【技術分野】
【０００１】
本発明は、無線端末装置及び無線通信システムに関する。
【背景技術】
【０００２】
無線アクセスポイントと、該無線アクセスポイントと通信情報の送受信を行う無線端末装置とを含む無線通信システムが知られている。例えば、下記特許文献１には、可搬のコンピュータ端末である複数の無線端末が無線アクセスポイントと無線ＬＡＮによりデータを送受信する構成が開示されている。
【先行技術文献】
【特許文献】
【０００３】
【特許文献１】特開２０１０−１７８１７５号公報
【発明の概要】
【発明が解決しようとする課題】
【０００４】
特許文献１に記載されるような従来の無線通信システムでは、無線アクセスポイントと無線端末装置の間の無線環境が悪化（ノイズなどにより電波が不安定になるなど）したとき、無線アクセスポイントと無線端末装置との通信が切断してしまう不具合が生じる。この場合、無線環境が正常な（良好な）状態に復帰しても、無線端末装置における無線アクセスポイントを識別する識別子情報（ＳＳＩＤ：Ｓｅｒｖｉｃｅ  Ｓｅｔ  Ｉｄｅｎｔｉｆｉｅｒ）の選択を行う識別子選択部の機能が復帰せず、通信接続がされない（識別子情報が選択されない）という現象が生じることがある。この現象が発生した場合、ユーザは、識別子選択部が機能するまで（識別子情報を選択できるようになるまで）、無線端末装置の無線接続動作のオンオフを手動で行う必要があった。
【０００５】
本発明は、上記した課題を解決するためになされたものであり、無線アクセスポイントと無線端末装置との通信が切断した場合、自動的にかつ容易に無線アクセスポイントに再接続が可能な無線端末装置及び無線通信システムを提供することを目的とする。
【課題を解決するための手段】
【０００６】
（１）上記した課題を解決するために、本発明は、任意の無線アクセスポイントから送信される前記無線アクセスポイントを識別する識別子情報を選択する識別子選択部と、前記無線アクセスポイントに対する無線接続動作を行う無線接続動作部と、前記識別子選択部が前記識別子情報を選択しない状態になったとき、前記識別子選択部が前記識別子情報を選択する状態に復帰するまで、前記無線接続動作部の無線接続動作のオンオフ制御を繰り返し行う制御部とを備えることを特徴とする無線端末装置である。
【０００７】
（２）また、上記本発明において、前記制御部は、前記識別子選択部が前記識別子情報を選択しない状態になってから、所定の待機時間経過後、前記無線接続動作部の無線接続動作のオンオフ制御を開始させることを特徴とする。
【０００８】
（３）また、上記本発明において、前記制御部は、前記無線アクセスポイントと前記無線端末装置との間の無線環境に応じて、前記所定の待機時間の長さを調整することを特徴とする。
【０００９】
（４）また、上記本発明において、前記制御部は、前記無線アクセスポイントと前記無線端末装置との間の無線環境に応じて、前記無線接続動作部の無線接続動作のオンオフ制御におけるオンオフのサイクルタイム、オン時間、およびオフ時間のうちの少なくとも１つを調整することを特徴とする。
【００１０】
また、本発明は、上記（１）〜（４）のいずれか１つの発明の少なくとも一つの無線端末装置と、前記無線端末装置に前記識別子情報を送信する少なくとも一つの無線アクセスポイントとを備えることを特徴とする無線通信システムである。
【発明の効果】
【００１１】
本発明によれば、無線アクセスポイントと無線端末装置との通信が切断した場合、自動的にかつ容易に無線アクセスポイントに再接続が可能な無線端末装置及び無線通信システムを提供することが可能となる。
【図面の簡単な説明】
【００１２】
【図１】本発明の一実施形態による無線通信システムの構成及び各状態を示すブロック図である。
【図２】本発明の一実施形態によるリフレッシュ動作のタイミングチャートを示す図である。
【図３】本発明の一実施形態によるリフレッシュ動作の処理手順を示すフローチャートである。
【発明を実施するための形態】
【００１３】
以下、図面を参照して、本発明を実施するための形態（以下、本実施形態という）について詳細に説明する。なお、本実施形態の説明の全体を通して同じ要素には同じ番号を付している。本実施形態は、スマートフォン、タブレット、ＰＣ（パーソナル・コンピュータ）などの無線端末装置、およびこれを用いる無線通信システムに適用される。
【００１４】
（一実施形態の構成）
図１（ａ）は、本発明の一実施形態による無線通信システムの構成例を示すブロック図である。図１（ａ）に示すように、本実施形態の無線通信システムは、無線端末装置１０と、無線アクセスポイント（以後、無線ＡＰと称する）２０と、制御端末３０を具備して構成される。無線端末装置１０は、オペレーティングシステム（制御部の一例であり、以後ＯＳと称する）１１と、第１のスイッチ（識別子選択部の一例）ＳＷ１と、第２のスイッチ（無線接続動作部）ＳＷ２とを含む。無線端末装置１０は、例えば、スマートフォン、タブレット、ＰＣ、電子機器などである。第１のスイッチＳＷ１、第２のスイッチＳＷ２は、ここでは、ソフト的な接続／非接続状態を意味するが、ハードウェアで構成されたスイッチであってもよい。
【００１５】
なお、本実施形態において、第１のスイッチＳＷ１は、任意の無線ＡＰ２０から送信される該無線ＡＰ２０を識別する識別子情報（ＳＳＩＤ）を選択する識別子選択部の機能を有する。第２のスイッチＳＷ２は、無線ＡＰ２０に対する無線接続動作を行う無線接続動作部の機能を有する。ＯＳ１１は、第１のスイッチＳＷ１（識別子選択部）が上記識別子情報を選択しない状態になったとき、第１のスイッチＳＷ１が識別子情報を選択する状態に復帰するまで、第２のスイッチＳＷ２（無線接続動作部）の無線接続動作のオンオフ（ＯＮ／ＯＦＦ）制御を繰り返し行う制御部の機能を有する。
【００１６】
無線ＡＰ２０は、異なるネットワーク間に中継するルータ機能も含むものである。制御端末３０は、特に対象は限定されない。例えば、外部のネットワーク、電子機器（エアコン、照明器具など）などである。制御端末３０に無線ＡＰの機能（構成）が含まれる場合は、独立した無線ＡＰ２０は省略できる。
【００１７】
（一実施形態の動作）
図１（ｂ）〜（ｄ）は、本実施形態による無線通信システムの各状態を示す図である。図１（ｂ）は、無線端末装置１０と無線ＡＰ２０との間の通信が切断されてＳＳＩＤを選択できない状態を示す図である。図１（ｂ）に示すように、無線環境の悪化によって無線端末装置１０と無線ＡＰ２０との通信が切断された場合は、第１のスイッチＳＷ１がＯＦＦとなり（無線ＡＰ２０のＳＳＩＤを選択できない状態）、第２のスイッチＳＷ２の無線接続動作がＯＮとなっている。
【００１８】
図１（ｃ）は、通信が切断された後に、第２のスイッチＳＷ２の無線接続動作のオンオフ制御を繰り返している状態を示す図である。なお、第２のスイッチＳＷ２の無線接続動作のオンオフ制御が繰り返される動作をリフレッシュ動作と称する。図１（ｃ）に示すように、図１（ｂ）の状態になったときには、第２のスイッチＳＷ２は、無線接続動作のオンオフ制御が自動的に繰り返される（リフレッシュ動作が行われる）ようにＯＳ１１により制御される。ここで、第２のスイッチＳＷ２の無線接続動作がＯＮの状態とは、無線ＡＰ２０との無線接続が行われている状態を指し、無線接続動作がＯＦＦの状態とは無線ＡＰ２０との無線接続が行われていない状態を指す。図１（ｄ）は、無線通信装置１０と無線ＡＰ２０との通信接続が復帰し、無線ＡＰ２０から送出されるＳＳＩＤが選択できる状態を示す図である。図１（ｄ）に示すように、リフレッシュ動作により、第１のスイッチＳＷ１がＯＮ状態に復帰し、無線ＡＰ２０のＳＳＩＤを選択できる状態となる。
【００１９】
以下、図２、図３を参照して本実施形態による動作をより具体的に説明する。図２は、本実施形態による無線通信システムのリフレッシュ動作のタイミングチャートを示す図である。図２（ａ）は無線端末装置１０と無線ＡＰ２０との間の無線環境レベルを示している。図２（ｂ）は第１のスイッチＳＷ１のオンオフ状態を示し、図２（ｃ）は第２のスイッチＳＷ２のオンオフ状態（無線接続動作がＯＮの状態か、ＯＦＦの状態か）を示している。
【００２０】
図２（ａ）に示すように、無線端末装置１０と無線ＡＰ２０との間の無線環境は、時刻Ｔ１までは安定した電波状態である正常区間を示し、時刻Ｔ１〜Ｔ３までが電波が不安定な状態である異常区間を示し、時刻Ｔ３以降は安定した電波状態に復帰した正常区間を示している。図２（ｂ）に示すように、時刻Ｔ１にて、第１のスイッチＳＷ１がＯＦＦとなると、無線端末装置１０は無線ＡＰ２０のＳＳＩＤを選択できない状態になる。
【００２１】
時刻Ｔ１〜Ｔ２の間、第２のスイッチＳＷ２は、待機状態（無線接続動作のＯＮ状態を維持した状態）となる（図２（ｃ）参照）。第２のスイッチＳＷ２を待機状態とする制御は、例えば、ＯＳ１１により行われる。すなわち、ＯＳ１１は、電波が不安定な状態となり、第１のスイッチＳＷ１がＯＦＦになると、予め設定された所定の待機時間の間は、第２のスイッチＳＷ２を無線接続動作のＯＮ状態が維持されるように制御する。
【００２２】
そして、ＯＳ１１は、第１のスイッチＳＷ１がＯＦＦになってから、上記待機時間経過後、第２のスイッチＳＷ２のオンオフ制御（無線接続動作のオンオフ制御）を開始させる（図２（ｃ）参照）。なお、上述した待機時間を設ける理由は、第１のスイッチＳＷ１がＯＦＦになってから短時間にＯＮになるような場合での第２のスイッチＳＷ２の無駄なオンオフ制御を規制するためである。
【００２３】
このため、本実施形態において、上記待機時間の長さは、短時間での第１のスイッチＳＷ１のＯＮ状態に復帰する可能性を想定して設定される。具体的には、第１のスイッチＳＷ１がＯＦＦ後、無線環境が短時間に回復してＯＮになる可能性が高い場合には、ＯＳ１１は、上記待機時間を比較的短い時間に設定する。一方、第１のスイッチＳＷ１がＯＦＦ後、短時間でＯＮになる可能性が低い場合には、ＯＳ１１は、上記待機時間を比較的長い時間に設定する。
【００２４】
第１のスイッチＳＷ１が短時間でＯＮ状態に復帰する可能性が高いか低いかは、無線端末装置１０と無線ＡＰ２０との間の無線環境から把握できる。つまり、上記待機時間の長さは、無線環境に依存するものであり、例えば、電波状態が悪い場合には、第１のスイッチＳＷ１がＯＦＦになり易く、短時間でＯＮになる可能性が低い。従って、この場合、待機時間は長く設定される。一方、電波状態がそれほど悪くはなく第１のスイッチＳＷ１がＯＦＦになり難い場合は、短時間でＯＮになる可能性が高い。このように無線環境が良い場合には、待機時間は短く設定される。上記の如く、本実施形態において、ＯＳ１１は、無線端末装置１０と無線ＡＰ２０との間の無線環境に応じて所定の待機時間の長さを調整する機能を有する。
【００２５】
上述した待機時間が終了する時刻Ｔ２から、ＯＳ１１は、第２のスイッチＳＷ２の無線接続動作のオンオフ制御、つまり、リフレッシュ動作（予め定められた所定のオンオフのサイクルタイム、ＯＮ時間（オン時間）、ＯＦＦ時間（オフ時間）にてオンオフ制御を繰り返す動作）を開始させる（図２（ｃ）参照）。このリフレッシュ動作におけるオンオフのサイクルタイムは、例えば、図２（ｃ）のＴ４−Ｔ５−Ｔ６期間を指す。
【００２６】
同様に、リフレッシュ動作におけるＯＮ時間は、図２（ｃ）のＴ４−Ｔ５、Ｔ６−Ｔ７、Ｔ８−Ｔ９の各期間を指す。リフレッシュ動作におけるＯＦＦ時間は図２（ｃ）のＴ２−Ｔ４、Ｔ５−Ｔ６、Ｔ７−Ｔ８、Ｔ９−Ｔ１０の各期間を指す。本実施形態において、ＯＳ１１は、これらオンオフのサイクルタイム、ＯＮ時間、およびＯＦＦ時間のうちの少なくとも１つを無線ＡＰ２０と無線端末装置１０との間の無線環境に応じて適宜な値に調整する機能を有する。
【００２７】
上述したリフレッシュ動作により、第２のスイッチＳＷ２のオンオフ制御が何回か繰り返される。そして、時刻Ｔ１０で第２のスイッチＳＷ２がＯＮになった後、ＯＦＦとなる前のタイミングである時刻Ｔ１１で第１のスイッチＳＷ１がＯＮになる（ＳＳＩＤを選択）こととなり、第２のスイッチＳＷ２は、その時刻Ｔ１１でリフレッシュ動作を終了する（図２（ｃ）参照）。
【００２８】
図３は、本実施形態による無線端末装置１０のＯＳ１１によって制御されるリフレッシュ動作の手順を示すフローチャートである。ステップＳ１において、ＯＳ１１は、第１のスイッチＳＷ１の状態を判定する。ここでＯＳ１１は、第１のスイッチＳＷ１がＯＦＦ（オフ）の場合はステップＳ２の処理を行い、第１のスイッチＳＷ１がＯＮ（オン）の場合はステップＳ１３の処理を行う。ステップＳ２において、ＯＳ１１は、第２のスイッチＳＷ２の状態を判定する。ここでＯＳ１１は、第２のスイッチＳＷ２がＯＮ（オン）の場合はステップＳ３の処理を行い、第２のスイッチＳＷ２がＯＦＦ（オフ）の場合はステップＳ９の処理を行う。
【００２９】
ステップＳ３において、ＯＳ１１は、リフレッシュフラグ（リフレッシュ動作を行うことを指示する場合はセット状態（例えば、フラグ「１」）。リフレッシュ動作を行わないことを指示する場合はクリア状態（例えば、フラグ「０」））の状態を判定する。ここでＯＳ１１は、リフレッシュフラグがセットされている場合はステップＳ４の処理を行い、リフレッシュフラグがセットされていない（クリアとなっている）場合はステップＳ７の処理を行う。ステップＳ４において、ＯＳ１１は、タイマー１（無線接続動作のＯＮ設定時間）の状態を判定する。ここでＯＳ１１は、タイマー１がゼロ（０）の場合はステップＳ５の処理を行い、タイマー１がゼロより大きい場合はステップＳ１の処理に戻る。ステップＳ５において、ＯＳ１１は、第２のスイッチＳＷ２をＯＦＦして、ステップＳ６の処理を行う。ステップＳ６において、ＯＳ１１は、タイマー２（無線接続動作のＯＦＦ設定時間）をセットして、ステップＳ１の処理に戻る。ステップＳ７において、ＯＳ１１は、タイマー１に待機時間をセットして、ステップＳ８の処理を行う。ステップＳ８において、ＯＳ１１は、リフレッシュフラグをセットして、ステップＳ４の処理を行う。
【００３０】
ステップＳ９において、ＯＳ１１は、リフレッシュフラグの状態を判定する。ここでＯＳ１１は、リフレッシュフラグがセットされている場合はステップＳ１０の処理を行い、リフレッシュフラグがセットされていない（クリアとなっている）場合はステップＳ１の処理に戻る。ステップＳ１０において、ＯＳ１１は、タイマー２の状態を判定する。ここでＯＳ１１は、タイマー２がゼロ（０）の場合はステップＳ１１の処理を行い、タイマー２がゼロより大きい場合はステップＳ１の処理に戻る。ステップＳ１１において、ＯＳ１１は、第２のスイッチＳＷ２をＯＮして、ステップＳ１２の処理を行う。ステップＳ１２において、ＯＳ１１は、タイマー１をセットして、ステップＳ１の処理に戻る。ステップＳ１３において、ＯＳ１１は、リフレッシュフラグをクリアして、ステップＳ１の処理に戻る。
【００３１】
以上の処理について更に詳しく説明する。図３に示すリフレッシュ動作制御において、ＯＳ１１は、第１のスイッチＳＷ１がＯＮであることが判定されている（ステップＳ１でＯＮ）間は、リフレッシュフラグをクリアする処理（ステップＳ１３）を続ける。この間、第１のスイッチＳＷ１がＯＦＦになったことが判定される（ステップＳ１でＯＦＦ）と、ＯＳ１１は、第２のスイッチＳＷ２がＯＮであることが判定されている時（ステップＳ２でＯＮ）には、リフレッシュフラグの状態をチェックする（ステップＳ３）。
【００３２】
ここで、リフレッシュフラグがクリアされていることが判定されると（第１のスイッチＳＷ１がＯＦＦとなった後の最初の判定タイミングではクリアされていると判定される）（ステップＳ３でクリア）、ＯＳ１１は、タイマー１に待機時間のセット（ステップＳ７）、リフレッシュフラグのセット（ステップＳ８）の各処理を順次行う。続いて、ＯＳ１１は、ステップＳ４において、タイマー１（ステップＳ７でセット済）がゼロであるか否かを判定する（ステップＳ４）。ここで、タイマー１がゼロでないと判定されると、ＯＳ１１は、ステップＳ１以降、ステップＳ２、Ｓ３の処理を実行する。
【００３３】
ステップＳ３でリフレッシュフラグがセットされている（ステップＳ８参照）ことが判定されると（ステップＳ４で＞０）、ＯＳ１１は、その後タイマー１がゼロでないと判定されている（ステップＳ４で＞０）間は上記の処理を繰り返し実行する。
【００３４】
この間、タイマー１がゼロであると判定されると（ステップＳ４で＝０）、ＯＳ１１は、第２のスイッチＳＷ２をＯＦＦ（ステップＳ５）とした後、タイマー２（ＯＦＦ時間）をセットし（ステップＳ６）、ステップＳ１以降の処理を行う。ここで、ステップＳ２において、第２のスイッチＳＷ２がＯＦＦである（ステップＳ５参照）ことが判定されると、ＯＳ１１は、ステップＳ９に進み、リフレッシュフラグの状態を判定する。
【００３５】
ここで、リフレッシュフラグがセットされている（上記ステップＳ８参照）ことが判定されると（ステップＳ９でセット）、ＯＳ１１は、タイマー２（ステップＳ６でセット済）がゼロであるか否かを判定する（ステップＳ１０）。ここで、タイマー２がゼロでないと判定されると（ステップＳ１０で＞０）、ＯＳ１１は、ステップＳ１以降、ステップＳ２、Ｓ９、Ｓ１０の処理を実行する。
【００３６】
そして、ステップＳ１０でタイマー２がゼロでないと判定されている（ステップＳ１０で＞０）間、ＯＳ１１は上記の処理を繰り返し実行する。この間、タイマー２がゼロであると判定されると（ステップＳ１０で＝０）、ＯＳ１１は、第２のスイッチＳＷ２をＯＮ（ステップＳ１１）とした後、タイマー１をセットし（ステップＳ１２）、ステップＳ１以降の処理を行う。
【００３７】
以後、ＯＳ１１は、ステップＳ９においてリフレッシュフラグの状態がクリアであると判定される（ステップＳ９でクリア）まで、タイマー１に設定されているＯＮ時間だけ第２のスイッチＳＷ２をＯＮにし、タイマー２に設定されているＯＦＦ時間だけ第２のスイッチＳＷ２をＯＦＦにするオンオフ制御を繰り返し実施する。
【００３８】
この間、ステップＳ９においてリフレッシュフラグの状態がクリアである（つまり、第１のスイッチＳＷ１が無線ＡＰ２０から送出されるＳＳＩＤを選択した）と判定されると、ＯＳ１１は、ステップＳ１の処理に戻る。そして、ＯＳ１１は、第１のスイッチＳＷ１がＯＮであることを判定し（ステップＳ１でＯＮ）、リフレッシュフラグのクリアを維持した状態で（ステップＳ１３）、上記選択したＳＳＩＤで識別される無線ＡＰ２０の通信制御を実行する。
【００３９】
（一実施形態の効果）
上述した本実施形態の構成によれば、無線環境が悪化し、一旦、通信が切断され、その後、無線環境が正常に戻っても、ＳＳＩＤの選択ができなくなった場合、ユーザが手動で行う接続作業の手間を省いて、自動的かつ容易に再接続が可能となる。
また、環境に応じて、リフレッシュ動作を行う前の待機時間（第１のスイッチＳＷ１がＯＦＦしてから第２のスイッチＳＷ２がリフレッシュ動作を開始するまでの時間）を調整することにより、不必要なリフレッシュ動作が行われないように調整することができる。
また、リフレッシュ動作におけるオンオフのサイクルタイム、ＯＮ時間、ＯＦＦ時間のうちの少なくとも１つを自由に設定できるため、無線環境に応じてその環境に適した最短の再接続復帰を実現するリフレッシュ動作を行うようにすることができる。
【００４０】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００４１】
例えば、無線通信システムの構成は本実施形態に限定されない。無線端末装置、無線ＡＰ、制御端末の具体的な機器の種類は、特に限定されない。要は、本発明では、無線環境が悪化し、一旦、通信が切断され後、無線接続動作部（第２のスイッチＳＷ２）の無線接続動作のオンオフ制御を繰り返し行う機能を必須とするものであり、この必須の構成要素以外の構成要素は限定されない。
また、必須要件である制御部は、無線接続動作のオンオフを繰り返す制御機能を有すればよく、ＯＳに限定されない。無線端末装置の各構成要素（制御部、無線接続動作部、識別子選択部）は、少なくともその一部がソフトウェアによる処理ではなく、ハードウェアによる処理であってもよい。
【符号の説明】
【００４２】
１０  無線端末装置
１１  オペレーティングシステム（ＯＳ）（制御部の一例）
ＳＷ１  第１のスイッチ（識別子選択部の一例）
ＳＷ２  第２のスイッチ（無線接続動作部）
２０  無線アクセスポイント（無線ＡＰ）
３０  制御端末
【図１】
2014216840.tif 000003
【図２】
2014216840.tif 000004
【図３】
2014216840.tif 000005